(57)【特許請求の範囲】
【請求項１】
光伝送システムでサーキュレータを利用してクロックを復元する装置であって、
伝送速度が異なるＮ種類のうち一つの入力データ信号を入力されて単一方向に循環出力し、Ｎ個の出力ポートを有するサーキュレータと、
前記Ｎ種類の伝送速度それぞれに対応するＮ種類の通過帯域中心周波数をそれぞれフィルタリングするＮ種類の帯域通過フィルタ部と、を備え、
前記各帯域通過フィルタ部は、前記入力データ信号の伝送速度に対応するクロック周波数成分が自身の通過帯域中心周波数に相応する場合、前記入力データ信号を通過させ、そうでない場合、前記サーキュレータに前記入力データ信号を反射させることを特徴とするクロック復元装置。
【請求項２】
前記入力データ信号は、クロック周波数成分を含むＲＺ形態の信号であることを特徴とする請求項１に記載のクロック復元装置。
【請求項３】
前記入力データ信号がクロック周波数成分が含まれていないＮＲＺ信号である場合、前記Ｎ種類の入力データ信号それぞれの伝送速度に対応するＮ種類のクロック周波数成分それぞれを生成するクロック生成部をさらに備えることを特徴とする請求項１に記載のクロック復元装置。
【請求項４】
前記クロック生成部の出力信号は、前記サーキュレータの前記入力データ信号として利用されることを特徴とする請求項３に記載のクロック復元装置。
【請求項５】
前記クロック生成部は、排他的論理和（ＥＸ−ＯＲ）演算に基づいて、前記Ｎ種類の入力データ信号から伝送速度それぞれに対応する前記Ｎ種類のクロック周波数成分それぞれを生成することを特徴とする請求項３に記載のクロック復元装置。
【請求項６】
前記クロック生成部は、
前記Ｎ種類の入力データ信号のうち一種類のデータ信号を入力されて同一に二つに分岐した後、相異なる長さの第１伝送線路及び第２伝送線路を通じて前記二つの分岐信号を伝達した後、前記排他的論理和（ＥＸ−ＯＲ）演算を行い、
前記第１伝送線路と前記第２伝送線路との前記分岐信号伝達時間差は、入力可能なＮ種類の入力データ信号のうち、最大伝送速度を有するＮＲＺデータ信号の周期であるＴｍａｘと、最小伝送速度を有するＮＲＺデータ信号の周期であるＴｍｉｎとの間の平均周期の１／２であることを特徴とする請求項５に記載のクロック復元装置。
【請求項７】
前記抽出されたＮ種類の前記クロック周波数成分それぞれを増幅するクロック増幅部をさらに備えることを特徴とする請求項１に記載のクロック復元装置。
【発明の詳細な説明】
【技術分野】
【０００１】
本発明は、光伝送システムの受信側で受信されたデータ信号からクロック信号を電気的に復元するクロック復元方法及び装置に関する。
【０００２】
本発明は、情報通信部のＩＴ源泉技術開発事業の一環として行った研究から導出されたものである［課題管理番号：２００６−Ｓ−０６０−０２、課題名：ＯＴＨ基盤の４０Ｇ級の多重サービス伝送技術開発］。
【背景技術】
【０００３】
一般的な光伝送システムの受信側では、受信されたデータ信号からクロック信号を復元して、データ復元ブロックと逆多重化ブロックとに供給するクロック抽出装置あるいはクロック復元装置を必要とする。すなわち、一般的に、光伝送システムの受信側では、クロック復元装置で復元したクロック信号を利用してデータを復元し、逆多重化を行う。
【０００４】
しかし、既存の受動型フィルタを利用した開放型クロック復元装置は、一つの伝送速度にのみ固定されて使われるという短所を有していた。例えば、４０Ｇｂｉｔ／ｓ級の伝送速度には、ＳＤＨ（Ｓｙｎｃｈｒｏｎｏｕｓ  Ｄｉｇｉｔａｌ  Ｈｉｅｒａｒｃｈｙ）基盤のＳＴＭ−６４信号（９．９５３２８Ｇｂｉｔ／ｓ）の４個を多重化したＳＴＭ−２５６信号（３９．８１３１２Ｇｂｉｔ／ｓ）、ＯＴＨ（Ｏｐｔｉｃａｌ  Ｔｒａｎｓｐｏｒｔ  Ｈｉｅｒａｒｃｈｙ）基盤のＯＴＵ−２信号（１０．７０９２２５Ｇｂ／ｓ）の４個を多重化した４２．８３６９Ｇｂｉｔ／ｓ信号及びＯＴＵ−３信号（４３．０１８４１３Ｇｂｉｔ／ｓ）などがある。しかし、既存の開放型クロック復元装置では、前記三つの伝送速度のうち一つの伝送速度に対してしかこれに対応するクロック信号を抽出できない。
【０００５】
したがって、既存のクロック復元装置は、伝送速度が変更される度にクロック復元装置内の帯域通過フィルタブロックを伝送速度に合わせて交替するか、またはクロック復元装置の全体を交替せねばならないという不便さが存在した。
【発明の開示】
【発明が解決しようとする課題】
【０００６】
本発明の目的は、前述した従来の問題点を解決するために提案されたものであって、伝送速度が異なる少なくとも一つ以上のデータ信号がクロック復元装置に選択的に入力される場合にも、それぞれの伝送速度に対応するそれぞれのクロック信号を一つのクロック復元装置で復元する方法及び装置を提供するところにある。
【０００７】
これにより、伝送速度が異なる色々な種類のデータ伝送を支援する光伝送システムにハードウェアの交替なしで伝送速度の変更が可能なクロック復元装置を提供する。
【課題を解決するための手段】
【０００８】
前記目的を達成するために、本発明の望ましい一実施形態として、光伝送システムでサーキュレータを利用してクロックを復元する装置は、伝送速度が異なるＮ種類のうち一つの入力データ信号を入力されて単一方向に循環出力し、Ｎ個の出力ポートを有するサーキュレータと、前記Ｎ種類の伝送速度それぞれに対応するＮ種類の通過帯域中心周波数をそれぞれフィルタリングするＮ種類の帯域通過フィルタ部と、を備え、前記各帯域通過フィルタ部は、前記入力データ信号の伝送速度に対応するクロック周波数成分が自身の通過帯域中心周波数に相応する場合、前記入力データ信号を通過させ、そうでない場合、前記サーキュレータに前記入力データ信号を反射させることを特徴とする。
【０００９】
本発明では、伝送速度が異なるＮ種類のデータ信号がクロック復元装置に選択的に入力される場合にも、サーキュレータと帯域通過フィルタとを利用して各伝送速度に対応するクロック信号を抽出することによって、追加的なハードウェアを設置または変更せずにも一つの開放型クロック復元装置で多様な伝送速度に対するクロック復元が可能である。
【発明の効果】
【００１０】
本発明は、ハードウェア的な構造を変更することなく伝送速度が異なる入力データ信号を使用できる。すなわち、本発明の単一クロック復元装置は、伝送速度が異なる二つ以上の入力データから各伝送速度に相応するクロック信号を復元できる。
【００１１】
また、本発明は、前記実施形態を応用して、伝送速度が異なるＮ種類のデータ信号からそれぞれの伝送速度に対応するクロック信号を一つのクロック復元装置で提供できる。
【発明を実施するための最良の形態】
【００１２】
以下、図面を参照して、本発明の実施形態について詳細に説明する。図面中で同じ構成要素に対しては、たとえ他の図面上に表示されるとしても、可能な限り同じ参照番号及び符号で表していることに留意せねばならない。
【００１３】
下記の本発明の説明において、関連した公知の機能または構成についての具体的な説明が本発明の要旨を曖昧にすると判断される場合には、その詳細な説明を省略する。
【００１４】
また、本発明をさらに充実したものにするために、本発明の趣旨を逸脱しない範囲内で、当業者レベルの変更や変形がありうることを明記しておく。
【００１５】
図１及び図２は、通常的な電気的受動型フィルタを利用するクロック復元装置（それを受動型あるいは開放型クロック復元装置という）を示す。
【００１６】
図１は、データ信号の伝送速度に対応するクロック周波数成分を含むＲＺ（Ｒｅｔｕｒｎ  ｔｏ  Ｚｅｒｏ）形態のデータ信号からクロック信号を復元するクロック復元装置を示し、図２は、伝送速度に対応するクロック周波数成分を含まないＮＲＺ（Ｎｏｎ−Ｒｅｔｕｒｎ  ｔｏ  Ｚｅｒｏ）形態のデータ信号からクロック信号を復元するクロック復元装置を示す。
【００１７】
図１のＲＺクロック復元装置は、電気的フィルタリング部１００及びクロック増幅部１１０を備える。図２のＮＲＺクロック復元装置は、クロック生成部２００、電気的フィルタリング部２１０及びクロック増幅部２２０を備える。
【００１８】
各構成要素の機能は、次の通りである。まず、クロック生成部２００は、入力ＮＲＺデータ信号からデータ信号の伝送速度に対応するクロック周波数成分を生成する。そして、図１及び図２の電気的フィルタリング部１００，２１０は、クロック周波数成分を有する信号から特定のクロック周波数成分のみをフィルタリングする。次いで、クロック増幅部１１０，２２０では、電気的フィルタリング部１００，２１０から出力されたクロック信号を増幅する。
【００１９】
電気的フィルタリング部１００，２１０は、データの伝送速度が数Ｇｂｉｔ／ｓ以下であるとき、通常、抵抗Ｒ、インダクタＬ、キャパシタＣの受動素子を利用したタンク回路やＳＡＷ（Ｓｕｒｆａｃｅ  Ａｃｏｕｓｔｉｃ  Ｗａｖｅ）フィルタなどを使用して具現される。一方、数Ｇｂｉｔ／ｓ以上の伝送速度では、タンク回路やＳＡＷフィルタの製作が困難であるため、マイクロ波特性に優れた高いＱ値の誘電体共振器フィルタを使用して具現される。
【００２０】
また、電気的フィルタリング部１００，２１０は、優秀な品質のクロック信号を得るために高いＱ値（＝中心周波数／３−ｄＢ帯域幅）を有するように製作されるが、ここで、高いＱ値とは、該フィルタの通過帯域幅が非常に狭くて特定の周波数成分のみを抽出できるということを意味する。
【００２１】
電気的フィルタリング部１００，２１０のような受動型フィルタの中心周波数は、通常固定されており、このため、それを使用するクロック復元装置も一つの伝送速度に固定されてしか動作できないという問題点がある。
【００２２】
したがって、以下では、伝送速度が異なる少なくとも一つ以上のデータ信号がクロック復元装置に入力される場合にも、各伝送速度に対応するそれぞれのクロック信号を一つのクロック復元装置で提供する方法及び装置について述べる。
【００２３】
図３は、本発明の望ましい一実施形態であって、伝送速度が異なる二種類のＲＺデータ信号からそれぞれの伝送速度に対応するクロック信号を復元するクロック復元装置の構成を示す。
【００２４】
ＲＺクロック復元装置は、二種類のＲＺデータ信号それぞれの伝送速度に該当するそれぞれの中心周波数を有する帯域通過フィルタを使用することによって、一つのクロック復元装置を通じて相異なる伝送速度それぞれに該当するクロック信号が選択的に得られる。
【００２５】
サーキュレータ３００は、伝送速度が異なる二種類のＲＺデータ信号Ｘ１，Ｘ２のうち一つを入力されて一方向に循環出力する。したがって、伝送速度がＸ１であるＲＺデータ信号がサーキュレータ３００に入力される場合、Ｘ１データ信号は、まず、第１出力ポート３０１に出力され、伝送速度Ｘ１に対応する通過帯域中心周波数を有している第１帯域通過フィルタ部３１０から、伝送速度Ｘ１に対応する第１クロック信号が抽出される。そして、第１クロック増幅部３１１では、抽出された第１クロック信号を増幅する。
【００２６】
一方、伝送速度がＸ２であるＲＺデータ信号がサーキュレータ３００に入力される場合、Ｘ２データ信号は、まず、第１出力ポート３０１に出力されるが、伝送速度Ｘ１に対応する通過帯域中心周波数を有している第１帯域通過フィルタ部３１０から反射されて、サーキュレータ３００の第２出力ポート３０２に出力される。第２帯域通過フィルタ部３２０は、伝送速度Ｘ２に対応する通過帯域中心周波数を有しているため、Ｘ２に対応する第２クロック信号を抽出し、第２クロック増幅部３２１では、抽出された第２クロック信号を増幅する。
【００２７】
図４Ａ及び図４Ｂは、本発明の望ましい一実施形態であって、伝送速度が異なる二種類のＮＲＺデータ信号からそれぞれの伝送速度に対応するクロック信号を復元するクロック復元装置の構成を示す。
【００２８】
図４Ａ及び図４ＢのＮＲＺクロック復元装置は、入力されるＮＲＺデータ信号にクロック周波数成分が含まれていないので、図３のＲＺクロック復元装置と異なり、クロック生成部４１０をさらに備える。
【００２９】
クロック生成部４１０は、電気的入力信号がクロック周波数成分を含まないＮＲＺデータ信号である場合、ＮＲＺデータ信号をクロック周波数成分が含まれた信号に変換させる。
【００３０】
本発明で提示するクロック生成部４１０は、図２に提示された既存のクロック生成部２００と異なり、伝送速度が異なるデータ信号それぞれをいずれも処理できねばならないので、伝送速度が異なる入力ＮＲＺデータ信号それぞれに該当するクロック周波数成分を生成する。
【００３１】
したがって、たとえば図４Ａに示したクロック生成部４１０は、伝送速度が異なる二種類のＮＲＺデータ信号それぞれが入力されたとき、二種類の入力信号それぞれに対応するクロック周波数成分を生成する。クロック周波数成分を生成する過程については、図５でさらに詳細に説明する。
【００３２】
ＮＲＺ信号である場合のクロック生成部４１０から出力された変換信号、あるいはＲＺ信号である場合の入力データ信号は、図３、図４Ａ及び図４Ｂのようにサーキュレータ３００，４００に印加される。
【００３３】
サーキュレータ３００，４００は、入力されたクロック周波数成分を含む信号を一方向に順次に循環出力するので、最初に第１出力ポート３０１，４０１に出力する。したがって、第１出力ポート３０１，４０１に出力される信号には、サーキュレータ入力信号の周期がＴ１であれば、１／Ｔ１に該当するクロック周波数成分Ｘ１，Ｙ１が含まれており、サーキュレータ入力信号の周期がＴ２であれば、１／Ｔ２に該当するクロック周波数成分Ｘ２，Ｙ２が含まれている。
【００３４】
サーキュレータの第１出力ポート３０１，４０１は、１／Ｔ１に該当するクロック周波数成分Ｘ１，Ｙ１を抽出できるように、中心周波数が１／Ｔ１である第１帯域通過フィルタ部３１０，４２０に連結される。
【００３５】
したがって、サーキュレータ入力信号の周期がＴ１であれば、１／Ｔ１に該当するクロック周波数成分Ｘ１，Ｙ１が第１帯域通過フィルタ部３１０，４２０から抽出されるが、サーキュレータ入力信号の周期がＴ２であれば、１／Ｔ２に該当するクロック周波数成分Ｘ２，Ｙ２は、サーキュレータの第１出力ポート３０１，４０１で反射されて第２出力ポート３０２，４０２に伝達される。
【００３６】
そして、サーキュレータの第２出力ポート３０２，４０２は、中心周波数が１／Ｔ２である第２帯域通過フィルタ部３２０，４３０と連結されて、１／Ｔ２に該当するクロック周波数成分Ｘ２，Ｙ２が第２帯域通過フィルタ部３２０，４３０から抽出される。
【００３７】
さらに具体的に述べれば、本発明のクロック復元装置を利用して、周期がＴ１またはＴ２であるクロック周波数成分を含む信号からクロック信号を抽出するとき、第１帯域通過フィルタ部３１０，４２０の中心周波数は１／Ｔ１であり、前記第２帯域通過フィルタ部３２０，４３０の中心周波数は１／Ｔ２であり、第１帯域通過フィルタ部３１０，４２０及び第２帯域通過フィルタ部３２０，４３０の通過帯域幅は狭く、Ｑ値は大きいほどきれいなクロック信号が復元される。
【００３８】
第１帯域通過フィルタ部３１０，４２０または第２帯域通過フィルタ部３２０，４３０から抽出されたそれぞれのクロック周波数成分は、第１クロック増幅部３１１，４２１または第２クロック増幅部３２１，４３１で増幅されて出力される。前記第１クロック増幅部３１１，４２１または第２クロック増幅部３２１，４３１は、いかなる形態の増幅素子でも具現が可能であるが、集積化のためにＭＭＩＣ（Ｍｏｎｏｌｉｔｈｉｃ  Ｍｉｃｒｏｗａｖｅ  Ｉｎｔｅｇｒａｔｅｄ  Ｃｉｒｃｕｉｔ）増幅器で具現されることが望ましい。
【００３９】
クロック増幅部３１１，３２１，４２１，４３１は、各クロック信号を最終出力信号の大きさに適するように増幅し、クロック復元装置に入力されるデータ信号の大きさがある程度の範囲内で変化しても、一定な大きさに維持させる。したがって、第１クロック増幅部３１１，４２１及び第２クロック増幅部３２１，４３１は、クロック周波数それぞれの領域だけで増幅機能を行うことが望ましい。
【００４０】
図５は、本発明の望ましい一実施形態であって、図４Ａ及び図４Ｂのクロック生成部４１０の内部構成図である。図４Ａのクロック生成部４１０は、入力ＮＲＺデータ信号を伝送速度が異なる二種類に限定しているが、本発明は、これに限定されず、たとえば図４Ｂに示すとおり、伝送速度が異なるＮ種類のＮＲＺデータ信号それぞれから各伝送速度に対応するクロック周波数成分を生成できる。
【００４１】
図５のクロック生成部５００は、入力伝送線路５１０、電力分配器５２０、第１伝送線路５３０、第２伝送線路５４０、排他的論理和（ＥＸ−ＯＲ）論理素子５５０及び出力伝送線路５６０を備える。
【００４２】
入力伝送線路５１０は、伝送速度が異なる色々な種類のＮＲＺデータ信号がそれぞれ入力されたとき、入力データ信号を、伝達損失を最小化して電力分配器５２０に伝達する機能を行う。
【００４３】
電力分配器５２０は、同じ三つの抵抗５２０で構成される。電力分配器５２０に伝達された任意の伝送速度（Ｎ種類の伝送速度のうち一つ）を有するＮＲＺデータ信号は、三つの抵抗５２０を通じて同じ二つのＮＲＺデータ信号に分配され、分配された同じデータ信号は、第１及び第２伝送線路５３０，５４０を通じてＥＸ−ＯＲ論理素子５５０の二つの入力ポートにそれぞれ印加される。
【００４４】
具体的な一例としては、前記電力分配器５２０を構成する三つの抵抗５２０の抵抗値は、伝送線路の特性インピーダンスを３で割った値とする。すなわち、伝送線路が５０Ωの特性インピーダンスを有する場合、１６ないし１７Ωとする。ただし、これは、一実施形態であり、これと実質的に同一または類似した概念に変更が可能であることを注意せねばならない。
【００４５】
第１及び第２伝送線路５３０，５４０は、電力分配器５２０で分岐された同じＮＲＺデータ信号を相異なる時間ほど遅延させるためのものである。さらに具体的に、二つのデータ信号相互間の遅延時間差は、伝送速度が異なる二種類のＮＲＺデータ信号それぞれから各伝送速度に対応するクロック周波数成分が得られるように、二種類の入力ＮＲＺ信号の平均周期の１／２、数式で表現すれば、
【００４６】
【数１】
0004856152.tif 000002
【００４７】
である。このために、前記第１及び第２伝送線路５３０，５４０の各長さＬ１，Ｌ２は、下記の数式１のように設定される。
【００４８】
【数２】
0004856152.tif 000003
【００４９】
ここで、Ｌ１は、第１伝送線路５３０の長さ、Ｌ２は、第２伝送線路５４０の長さを表し、ｃは、自由空間での光速を表し、εeffは、基板の誘電率及び第１及び第２伝送線路５３０，５４０の構造により決定される有効誘電率を表す。そして、Ｔ１は、Ｙ１周波数成分が生成される入力ＮＲＺ信号の周期であり、Ｔ２は、Ｙ２周波数成分が生成される入力ＮＲＺ信号の周期を表す。
【００５０】
したがって、第１及び第２伝送線路５３０，５４０を通じてＥＸ−ＯＲ論理素子５５０の二つの入力ポートに伝達される同じ二つのデータ信号は、前記第１及び第２伝送線路５３０，５４０の長さ差によって相互間に位相差を有する。ＥＸ−ＯＲ論理素子５５０は、前記位相差を有する同じ二つのデータ信号を排他的論理和で演算することによって、入力ＮＲＺ信号の伝送速度に対応するクロック周波数成分を生成する。そして、出力伝送線路５６０は、クロック周波数成分が含まれたＥＸ−ＯＲ論理素子５５０の出力信号をサーキュレータ４００（図４Ａ及び図４Ｂ）に伝達する。
【００５１】
他の一実施形態として、クロック生成部５００は、ＥＸ−ＯＲ論理素子５５０の出力部に増幅器を挿入することによって、生成されたクロック周波数成分を増幅できる。すなわち、ＥＸ−ＯＲ論理素子５５０から出力されるクロック周波数成分の大きさが小さい場合、それを増幅することによってクロック生成部４１０，５００以後の回路ブロックでもクロック抽出を容易にする。
【００５２】
数式２は、伝送速度が異なるＮ種類のＮＲＺデータ信号がそれぞれ入力される場合、各伝送速度に対応するクロック周波数成分を生成するための第１及び第２伝送線路５３０，５４０の長さ差を表す。また、この場合、前記サーキュレータ４００は、サーキュレータの入力信号をＮ種類の出力ポートに循環出力する１：Ｎサーキュレータとなり、Ｎ個の帯域通過フィルタ部及びＮ種類のクロック増幅部の動作周波数は、Ｎ種類のデータ信号それぞれの伝送速度によって異なる。
【００５３】
【数３】
0004856152.tif 000004
【００５４】
Ｌ１：第１伝送線路の長さ
Ｌ２：第２伝送線路の長さ
Ｔｍａｘ：伝送速度が異なるＮ種類のＮＲＺデータ信号のうち、最大伝送速度を有するデータ信号の周期
Ｔｍｉｎ：伝送速度が異なるＮ種類のＮＲＺデータ信号のうち、最小伝送速度を有するデータ信号の周期
ｃ：自由空間での光速
εeff：基板の誘電率及び第１及び第２伝送線路の構造により決定される有効誘電率
【００５５】
図６は、本発明の望ましい一実施形態であって、クロック復元装置の概念図である。
【００５６】
光伝送システムでサーキュレータを利用してクロックを復元する本発明のクロック復元装置は、伝送速度が異なるＮ種類の入力データ信号を単一方向に循環出力するサーキュレータ６１０、サーキュレータ６１０に入力されるＮ種類の入力データ信号それぞれの伝送速度に対応するＮ種類のクロック周波数成分それぞれを抽出する帯域通過フィルタ部６２０、及び帯域通過フィルタ部６２０から抽出されたＮ種類の前記クロック周波数成分それぞれを増幅するクロック増幅部６３０を備える。
【００５７】
図７は、本発明の望ましい一実施形態であって、ＮＲＺクロック復元装置の概念図である。
【００５８】
ＮＲＺクロック復元装置は、伝送速度が異なるＮ種類のＮＲＺ入力データ信号それぞれからそれぞれの伝送速度に対応するクロック周波数成分を生成するクロック生成部７１０、クロック生成部７１０で生成されたクロック周波数成分が含まれた信号をＮ個の出力ポートに単一方向に循環出力するサーキュレータ７２０、Ｎ種類の入力ＮＲＺデータ信号それぞれの伝送速度に対応するクロック周波数成分を抽出するＮ種類の帯域通過フィルタ部７３０、及び抽出されたクロック周波数成分それぞれを増幅するＮ種類のクロック増幅部７４０を備える。
【００５９】
Ｎ種類の帯域通過フィルタ部７３０は、それぞれＮ種類の伝送速度それぞれに対応する相異なるＮ種類の通過帯域中心周波数を備える。それぞれの帯域通過フィルタ部７３０は、入力データ信号が自身に割り当てられた特定の通過帯域中心周波数に対応する場合、入力データ信号の伝送速度に対応する特定のクロック周波数成分を抽出し、対応しない場合、サーキュレータ７２０に入力データ信号を反射させる。
【００６０】
本発明は、また、コンピュータで読み取り可能な記録媒体にコンピュータで読み取り可能なコードとして具現することが可能である。コンピュータで読み取り可能な記録媒体は、コンピュータシステムにより読み取られるデータが保存されるあらゆる種類の記録装置を含む。
【００６１】
コンピュータで読み取り可能な記録媒体の例としては、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）、ＣＤ−ＲＯＭ、磁気テープ、フロッピー（登録商標）ディスク、光データ保存装置などがあり、また、キャリアウェーブ（例えば、インターネットを通じた伝送）の形態で具現されるものも含む。また、コンピュータで読み取り可能な記録媒体は、ネットワークに連結されたコンピュータシステムに分散されて、分散方式でコンピュータで読み取り可能なコードが保存されて実行される。
【００６２】
以上、図面と明細書で最適の実施形態が開示された。ここで、特定の用語が使われたが、これは単に本発明を説明するための目的で使われたものであり、意味限定や特許請求の範囲に記載された本発明の範囲を制限するために使われたものではない。したがって、当業者ならば、これから多様な変形及び均等な他の実施形態が可能であるという点を理解できるであろう。したがって、本発明の真の技術的な保護範囲は、特許請求の範囲の技術的思想により決まらねばならない。
【産業上の利用可能性】
【００６３】
本発明は、光伝送システム関連の技術分野に適用可能である。
【図面の簡単な説明】
【００６４】
【図１】クロック周波数成分が含まれた単一速度のＲＺデータ信号からクロック信号を抽出するクロック復元装置を示す図面である。
【図２】クロック周波数成分が含まれていない単一速度のＮＲＺデータ信号からクロック信号を抽出するクロック復元装置を示す図面である。
【図３】本発明の望ましい一実施形態であって、伝送速度が異なるＲＺデータ信号からそれぞれの伝送速度に対応するクロック信号を復元するクロック復元装置を示す図面である。
【図４Ａ】本発明の望ましい一実施形態であって、伝送速度が異なるＮＲＺデータ信号からそれぞれの伝送速度に対応するクロック信号を復元するクロック復元装置を示す図面である。
【図４Ｂ】本発明の望ましい一実施形態であって、伝送速度が異なるＮＲＺデータ信号からそれぞれの伝送速度に対応するクロック信号を復元するクロック復元装置を示す図面である。
【図５】本発明の望ましい一実施形態であって、図４Ａ及び図４Ｂのクロック生成部の内部構成図である。
【図６】本発明の望ましい一実施形態であって、クロック復元装置の概念図である。
【図７】本発明の望ましい一実施形態であって、ＮＲＺクロック復元装置の概念図である。
【符号の説明】
【００６５】
６１０    サーキュレータ
６２０    帯域通過フィルタ部
６３０    クロック増幅部
【図１】
0004856152.tif 000005
【図２】
0004856152.tif 000006
【図３】
0004856152.tif 000007
【図４Ａ】
0004856152.tif 000008
【図４Ｂ】
0004856152.tif 000009
【図５】
0004856152.tif 000010
【図６】
0004856152.tif 000011
【図７】
0004856152.tif 000012